【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
異なる時間に眼部の異なる位置で撮影された複数の画像を取得する眼科装置であって、
前記取得された複数の画像の特性の連続性を示す情報が所定の条件を満たすように、前記眼部の異なる位置で撮影する撮影条件を決定する決定手段と、
前記決定された撮影条件に基づいて、前記眼部の異なる位置で撮影されるように前記眼科装置を制御する制御手段と、
を備えることを特徴とする眼科装置。
【請求項２】
前記決定手段は、前記複数の画像の相対位置と輝度特性と画像特徴とのうち少なくとも一つの連続性を示す情報が所定の条件を満たすように、前記眼部の異なる位置で撮影する撮影条件を決定することを特徴とする請求項１に記載の眼科装置。
【請求項３】
前記決定手段は、前記複数の画像の端部と重なり領域とのうち少なくとも一つにおける前記複数の画像の特性の連続性を示す情報が所定の条件を満たすように、前記眼部の異なる位置で撮影する撮影条件を決定することを特徴とする請求項１または２に記載の眼科装置。
【請求項４】
前記決定手段は、前記張り合わせ画像の数と面積と無血管領域境界の長さとのうち少なくとも一つを、前記連続性を示す情報として決定することを特徴とする請求項１乃至３のいずれか１項に記載の眼科装置。
【請求項５】
前記複数の画像が張り合わせられた張り合わせ画像と前記取得された複数の画像それぞれの画像よりも広い画角である広画角画像とを比較する比較手段を更に備え、
前記決定手段は、前記比較手段による比較結果に基づいて、前記連続性を示す情報を決定することを特徴とする請求項１乃至３のいずれか１項に記載の眼科装置。
【請求項６】
異なる時間に眼部の異なる位置で撮影された複数の画像を取得する眼科装置であって、
前記取得された複数の画像の画像群としての適合度を示す情報に基づいて、前記眼科装置が取得すべき画像の撮影条件を決定する決定手段と、
前記決定された撮影条件に基づいて、前記眼部の異なる位置で撮影されるように前記眼科装置を制御する制御手段と、
を備えることを特徴とする眼科装置。
【請求項７】
前記決定手段は、同一検査または異なる検査の画像間の相対位置、輝度特性の連続性、画質の類似度、前記取得された複数の画像の画像特徴の少なくとも一つに基づいて前記適合度を示す情報を決定することを特徴とする請求項６に記載の眼科装置。
【請求項８】
前記決定手段は、前記画像群として異なる倍率の画像の画像群が得られている場合または前記画像群として取得位置の異なる複数の画像群が得られている場合に、各倍率の画像群の適合度を判定した上で、画像群間の相対位置、輝度特性の連続性、画質の類似度、の少なくとも一つに基づいて異なる倍率の画像群間の適合度を示す情報または取得位置の異なる画像群間の適合度を示す情報を決定することを特徴とする請求項６または７に記載の眼科装置。
【請求項９】
前記決定された撮影条件に基づいて撮影された前記眼部の異なる位置の複数の画像が張り合わせられた張り合わせ画像と前記決定された撮影条件とを表示手段に表示させる表示制御手段を更に備えることを特徴とする請求項１乃至８のいずれか１項に記載の眼科装置。
【請求項１０】
前記決定された撮影条件に基づいて撮影して得た画像における血球の移動速度を計測する計測手段を更に備えることを特徴とする請求項１乃至９のいずれか１項に記載の眼科装置。
【請求項１１】
異なる時間に眼部の異なる位置で撮影された複数の画像を取得する眼科装置であって、
前記複数の画像を張り合わせて得た張り合わせ画像に含まれる画像欠け領域を決定する決定手段と、
前記眼部における前記決定された画像欠け領域を含む少なくとも１つの領域を撮影するように、前記眼科装置を制御する制御手段と、
を備えることを特徴とする眼科装置。
【請求項１２】
前記複数の位置に対応する複数の領域は互いに重複する領域であり、
前記決定手段は、前記複数の領域から前記画像欠け領域を含む少なくとも１つの領域を決定することを特徴とする請求項１１に記載の眼科装置。
【請求項１３】
前記眼部において測定光を走査する走査光学系を更に有し、
前記制御手段は、前記眼部における前記少なくとも１つの領域で前記測定光を走査するように、前記走査光学系を制御することを特徴とする請求項１１または１２に記載の眼科装置。
【請求項１４】
前記眼部において測定光を走査する走査光学系を更に有し、
前記制御手段は、前記眼部における前記少なくとも１つの領域で前記測定光が走査されるように、前記眼部を固視するための固視標の位置を制御することを特徴とする請求項１１または１２に記載の眼科装置。
【請求項１５】
測定光と前記測定光を照射した前記眼部からの戻り光とのうち少なくとも一つの光の波面を補正する波面補正デバイスを更に有し、
前記波面が補正された光を用いて前記複数の画像が取得されることを特徴とする請求項１乃至１４のいずれか１項に記載の眼科装置。
【請求項１６】
異なる時間に眼部の異なる位置で撮影された複数の画像を取得する眼科装置の作動方法であって、
前記取得された複数の画像の特性の連続性を示す情報が所定の条件を満たすように、前記眼部の異なる位置で撮影する撮影条件を決定する工程と、
前記決定された撮影条件に基づいて、前記眼部の異なる位置で撮影されるように前記眼科装置を制御する工程と、
を有することを特徴とする眼科装置の作動方法。
【請求項１７】
異なる時間に眼部の異なる位置で撮影された複数の画像を取得する眼科装置の作動方法であって、
前記取得された複数の画像の画像群としての適合度を示す情報に基づいて、前記眼科装置が取得すべき画像の撮影条件を決定する工程と、
前記決定された撮影条件に基づいて、前記眼部の異なる位置で撮影されるように前記眼科装置を制御する工程と、
を有することを特徴とする眼科装置の作動方法。
【請求項１８】
異なる時間に眼部の異なる位置で撮影された複数の画像を取得する眼科装置の作動方法であって、
前記複数の画像を張り合わせて得た張り合わせ画像に含まれる画像欠け領域を決定する工程と、
前記眼部における前記決定された画像欠け領域を含む少なくとも１つの領域を撮影するように、前記眼科装置を制御する工程と、
を備えることを特徴とする眼科装置の作動方法。
【請求項１９】
請求項１６乃至１８のいずれか１項に記載の眼科装置の作動方法の各工程をコンピュータに実行させることを特徴とするプログラム。
【手続補正２】
【補正対象書類名】明細書
【補正対象項目名】００１０
【補正方法】変更
【補正の内容】
【００１０】
本発明に係る眼科装置の一つは、
異なる時間に眼部の異なる位置で撮影された複数の画像を取得する眼科装置であって、
前記取得された複数の画像の特性の連続性を示す情報が所定の条件を満たすように、前記眼部の異なる位置で撮影する撮影条件を決定する決定手段と、
前記決定された撮影条件に基づいて、前記眼部の異なる位置で撮影されるように前記眼科装置を制御する制御手段と、を備える。
【手続補正３】
【補正対象書類名】明細書
【補正対象項目名】００１１
【補正方法】変更
【補正の内容】
【００１１】
また、本発明に係る眼科装置の一つは、
異なる時間に眼部の異なる位置で撮影された複数の画像を取得する眼科装置であって、
前記取得された複数の画像の画像群としての適合度を示す情報に基づいて、前記眼科装置が取得すべき画像の撮影条件を決定する決定手段と、
前記決定された撮影条件に基づいて、前記眼部の異なる位置で撮影されるように前記眼科装置を制御する制御手段と、を備える。
【手続補正４】
【補正対象書類名】明細書
【補正対象項目名】００１２
【補正方法】変更
【補正の内容】
【００１２】
また、本発明に係る眼科装置の作動方法の一つは、
異なる時間に眼部の異なる位置で撮影された複数の画像を取得する眼科装置の作動方法であって、
前記取得された複数の画像の特性の連続性を示す情報が所定の条件を満たすように、前記眼部の異なる位置で撮影する撮影条件を決定する工程と、
前記決定された撮影条件に基づいて、前記眼部の異なる位置で撮影されるように前記眼科装置を制御する工程と、を有する。
【手続補正５】
【補正対象書類名】明細書
【補正対象項目名】００１３
【補正方法】変更
【補正の内容】
【００１３】
また、本発明に係る眼科装置の作動方法の一つは、
異なる時間に眼部の異なる位置で撮影された複数の画像を取得する眼科装置の作動方法であって、
前記取得された複数の画像の画像群としての適合度を示す情報に基づいて、前記眼科装置が取得すべき画像の撮影条件を決定する工程と、
前記決定された撮影条件に基づいて、前記眼部の異なる位置で撮影されるように前記眼科装置を制御する工程と、を有する。